(57)【要約】【課題】耐久性のある撮像装置を提供する。【解決手段】撮像装置は、撮像装置のハウジングと、ハウジングに対して回動可能に支持される回動部材と、ハウジングに対して回動可能に支持されるスタンド部材とを備え、回動部材は、ハウジングに対して回動してハウジングの背面側で背面に対して平行となるように格納される格納位置に回動可能であり、スタンド部材は、ハウジングに対して回動してハウジングの背面側で背面に対して平行な状態でハウジングに収納されるスタンド収納位置に回動可能であり、回動部材の回動範囲と、スタンド部材の回動範囲とは、一部で重なり、スタンド部材は、回動可能に支持される基端側から他端側に向かって延在し、回動部材と当接し得る他端側に柔軟性を有する先端部材を有する。【選択図】図５
2016018031.tif 000002
【特許請求の範囲】
【請求項１】
撮像装置のハウジングと、
前記ハウジングに対して回動可能に支持される回動部材と、
前記ハウジングに対して回動可能に支持されるスタンド部材とを備え、
前記回動部材は、前記ハウジングに対して回動して前記ハウジングの背面側で前記背面に対して平行となるように格納される格納位置に回動可能であり、
前記スタンド部材は、前記ハウジングに対して回動して前記ハウジングの背面側で前記背面に対して平行な状態で前記ハウジングに収納されるスタンド収納位置に回動可能であり、
前記回動部材の回動範囲と、前記スタンド部材の回動範囲とは、一部で重なり、
前記スタンド部材は、回動可能に支持される基端側から他端側に向かって延在し、前記回動部材と当接し得る前記他端側に柔軟性を有する先端部材を有する撮像装置。
【請求項２】
請求項１に記載の撮像装置において、
前記回動部材は、前記格納位置に回動されると、前記スタンド収納位置に回動されている前記スタンド部材の少なくとも一部を覆う撮像装置。
【請求項３】
請求項１または請求項２に記載の撮像装置において、
前記回動部材は、表示装置を備えた表示部であり、
前記表示部は、前記格納位置に回動されると、前記スタンド収納位置に回動されている前記スタンド部材の背面の略全部を覆う撮像装置。
【請求項４】
請求項１〜３のいずれか一項に記載の撮像装置において、
前記ハウジングは、前記スタンド部材を前記スタンド収納位置で収納するスタンド収納溝を背面に備える撮像装置。
【請求項５】
請求項４に記載の撮像装置において、
前記ハウジング内に設けられ、撮像素子を有する撮像素子ユニットをさらに備え、
前記スタンド収納溝は、前記ハウジングを前記背面から見たときに、前記撮像素子ユニットが設けられた領域と干渉しない領域に設けられている撮像装置。
【請求項６】
請求項４に記載の撮像装置において、
前記スタンド部材は、前記ハウジングの背面よりも前方に設けられている回動軸によって前記ハウジングに対して回動可能に支持される撮像装置。
【請求項７】
請求項１〜６のいずれか一項に記載の撮像装置において、
前記スタンド部材は、それぞれ前記基端側から前記他端側に向かって延在して同一の回動軸上で離間して設けられている２本の腕部と、前記２本の腕部のそれぞれの前記他端側同士を連結する連結部とを有し、前記連結部に前記先端部材が設けられる撮像装置。
【請求項８】
請求項７に記載の撮像装置において、
前記２本の腕部および前記連結部は、前記スタンド収納位置で前記ハウジングと対向する一方の面と、前記一方の面とは反対側の面である他方の面とを有し、
前記先端部材は、前記一方の面から前記他方の面にかけて丸みを帯びて形成された端面を有し、
前記端面の曲率半径は、前記一方の面側よりも前記他方の面側が大きい撮像装置。
【発明の詳細な説明】
【技術分野】
【０００１】
本発明は、撮像装置に関する。
【背景技術】
【０００２】
撮像装置を机上等に載置して使用する際に、撮像装置の傾斜角を適宜設定できるようにスタンド機構を備えた撮像装置が知られている。たとえば、スタンドを使用しないときにはスタンド部材を撮像装置の本体に収納し、スタンドを使用するときにはスタンド部材を撮像装置の本体から回動させて取り出すように構成されている撮像装置が知られている（特許文献１参照）。
【先行技術文献】
【特許文献】
【０００３】
【特許文献１】特開平７−５０７６７号公報
【発明の概要】
【発明が解決しようとする課題】
【０００４】
しかし、上述した特許文献に記載の撮像装置では、液晶表示部を撮像装置の本体に対して回動可能に設けると、撮像装置の本体から取り出されたスタンド部材が回動する液晶表示部と干渉して、液晶表示部を破損するおそれがある。
【課題を解決するための手段】
【０００５】
本発明による撮像装置は、撮像装置のハウジングと、ハウジングに対して回動可能に支持される回動部材と、ハウジングに対して回動可能に支持されるスタンド部材とを備え、回動部材は、ハウジングに対して回動してハウジングの背面側で背面に対して平行となるように格納される格納位置に回動可能であり、スタンド部材は、ハウジングに対して回動してハウジングの背面側で背面に対して平行な状態でハウジングに収納されるスタンド収納位置に回動可能であり、回動部材の回動範囲と、スタンド部材の回動範囲とは、一部で重なり、スタンド部材は、回動可能に支持される基端側から他端側に向かって延在し、回動部材と当接し得る他端側に柔軟性を有する先端部材を有する。
【発明の効果】
【０００６】
本発明によれば、耐久性のある撮像装置を提供できる。
【図面の簡単な説明】
【０００７】
【図１】撮像装置を斜め前方から見た斜視図である。
【図２】撮像装置を斜め後方から見た斜視図である。
【図３】撮像装置を上方から見た図である。
【図４】可動式モニタ部を格納位置から回動させた状態で撮像装置を斜め後方から見た斜視図である。
【図５】可動式モニタ部を格納位置から回動させた状態で撮像装置を斜め後方から見た斜視図である。
【図６】スタンドのアーム部とスタンド収納溝との関係を示す、アーム部の上方から見た図である。
【図７】スタンドのアーム部とスタンド収納溝との関係を示す、アーム部の上方から見た図である。
【図８】スタンドを用いて撮像装置を縦位置で斜め上方を撮像するように傾斜させて自立させた状態を示す斜視図である。
【図９】（ａ）は、図８と同じ姿勢の撮像装置を撮像装置の上方から見た図であり、（ｂ）は（ａ）のＢ部の拡大図である。
【図１０】スタンドを用いて横位置で斜め上方を撮像するように傾斜させて自立させた撮像装置を右側面から見た図である。
【図１１】Ｌ１，Ｌ２，Ｌ３の関係について説明する図である。
【図１２】スタンドの斜視図である。
【図１３】図１２のＡ−Ａ矢視断面図である。
【図１４】先端部材の機能について説明する図である。
【図１５】先端部材の機能について説明する図である。
【図１６】表示モニタに表面に先端部材が当接したときの状態を説明する図である。
【図１７】変形例を示す図である。
【図１８】変形例を示す図である。
【発明を実施するための形態】
【０００８】
図１〜１６を参照して、本発明による撮像装置の一実施の形態を説明する。図１は、本実施の形態の撮像装置を斜め前方から見た斜視図であり、図２は、撮像装置を斜め後方から見た斜視図であり、図３は、撮像装置を上方から見た図である。図１，２に示すように、撮像装置１は、ハウジング１０ａを含む撮像装置本体１０と、レンズ鏡筒２と、可動式モニタ部２０と、スタンド３０と、シャッタボタン３とを備えている。図３に示すように、撮像装置１は、撮像素子４と、制御部５と、バッテリ６とを備えている。説明の便宜上、各図に示すように、撮像装置１の前後方向、上下方向および左右方向を規定する。なお、撮像装置１の左右方向は、撮像装置１の後方から見たときの左右方向と一致する。
【０００９】
本実施の形態では、レンズ鏡筒２は、沈胴式のレンズ鏡筒であり、電源オフ時には、図１に示すように縮筒して、撮像装置本体１０に収納され、電源オン時には、図３に示すように前方に向かって伸長する。撮像装置本体１０には、縮筒したレンズ鏡筒２を格納するレンズ鏡筒格納部１１と、レンズ鏡筒２を伸長、縮筒させる鏡筒駆動部１２とが設けられている。撮像素子４は、撮像素子４が実装される不図示の基板や不図示の赤外カットガラス等とともに撮像素子ユニット４Ｕとして一体化されて、レンズ鏡筒格納部１１の後方に設けられている。
【００１０】
図３に示すように、制御部５とバッテリ６は、レンズ鏡筒格納部１１の右方に配設されている。制御部５は、ＣＰＵやＲＡＭなどを有し、撮像素子４や鏡筒駆動部１２、後述する表示モニタ２３など、撮像装置１の各部を制御する。
【００１１】
撮像素子４は、制御部５の制御のもと、レンズ鏡筒２の撮影レンズにより結像する被写体像を撮像する。撮像素子４で撮像して得られた被写体の画像は、不図示の撮像画像記録部などに記録されるとともに、スルー画像として可動式モニタ部２０の表示モニタ２３に表示される。
【００１２】
図４，５は、可動式モニタ部２０を図２とは異なる姿勢に回動させた状態で撮像装置１を斜め後方から見た斜視図である。図５に示すように、可動式モニタ部２０は、ハウジング１０ａに対して回動可能に支持された回動部材である。すなわち、可動式モニタ部２０は、撮像装置本体１０に対して、軸ＡＸ１および軸ＡＸ２を中心に回動可能な表示部であり、中間支持部材２１と、モニタ枠２２と、表示装置である表示モニタ２３とを備えている。中間支持部材２１は、撮像装置本体１０の左側後部で上下方向に延在する軸ＡＸ１を中心として、ハウジング１０ａに回動可能に軸支される部材である。中間支持部材２１は、軸ＡＸ１と直交する軸ＡＸ２を中心に回動可能にモニタ枠２２を支持する。
【００１３】
モニタ枠２２は、表示モニタ２３を備える部材であり、上述したように、中間支持部材２１に対して軸ＡＸ２を中心に回動可能に軸支される。表示モニタ２３は、上述したスルー画像や、撮像画像記録部に記録されている画像データを再生した画像、撮像装置１の設定メニューなどを表示する表示部である。
【００１４】
図２に示すように、可動式モニタ部２０を撮像装置本体１０のハウジング１０ａの背面に格納したときの可動式モニタ部２０の位置を格納位置と呼ぶ。格納位置では、可動式モニタ部２０は、ハウジング１０ａの背面側でハウジング１０ａの背面に対して平行となるように格納される。格納位置において、可動式モニタ部２０の右側端面は、可動式モニタ部２０の回動基端である軸ＡＸ１から最も遠い端面である。この端面を先端部２０ａと呼ぶ。
【００１５】
スタンド３０は、たとえば机上に載置した撮像装置本体１０を任意の傾斜角度で固定するためのものであり、ハウジング１０ａの右側後部で上下方向に延在する軸ＡＸ３を中心として、ハウジング１０ａに回動可能に支持される。スタンド３０は、軸ＡＸ３で軸支されるアーム部３１を備えている。アーム部３１は、たとえば略Ｕ字形状を呈する部材である。アーム部３１のＵ字形状の上端に相当する部位を基端３２と呼び、Ｕ字形状の底部に相当する部位を先端３３と呼ぶ。すなわち、アーム部３１は、基端３２側で軸支されていて、先端３３側が軸ＡＸ３を中心に回動する。アーム部３１の先端３３には、先端部材４０が取り付けられている。
【００１６】
すなわち、スタンド３０は、それぞれ基端側から他端側、すなわち基端３２から先端３３に向かって延在して同一の回動軸ＡＸ３上で離間して設けられている２本の腕部３１ａを有する。スタンド３０は、２本の腕部３１ａのそれぞれの他端側同士を連結する連結部である先端３３とを有する。スタンド３０の先端３３には、先端部材４０が設けられている。
【００１７】
先端部材４０は、たとえば樹脂製の部材であり、アーム部３１の先端３３に取り付けられている。先端部材４０については、後に詳述する。
【００１８】
ハウジング１０ａの背面１４には、スタンド３０を収納するスタンド収納溝１３が刻設されている。スタンド収納溝１３は、ハウジング１０ａの背面１４よりも前方に向かって一段凹んでいる溝部である。スタンド３０は、軸ＡＸ３を中心に背面１４と略平行となるように回動されると、図４に示すように、スタンド収納溝１３内に収納される。スタンド収納溝１３に収納されたスタンド３０の位置をスタンド収納位置と呼ぶ。このように、スタンド３０は、スタンド収納位置に回動されると、ハウジング１０ａの背面側で背面に対して平行な状態でハウジング１０ａに収納される。
【００１９】
図６，７は、スタンド３０のアーム部３１とスタンド収納溝１３との関係を示す、アーム部３１の上方から見た図である。図６は、スタンド３０がスタンド収納位置に回動された状態を示す図であり、図７は、スタンド３０がスタンド収納位置から引き起こされた状態を示す図である。図６に示すように、本実施の形態では、スタンド３０は、スタンド収納位置に回動されると、後述する図１３に示した先端部材４０の後面４０ａも含めて、ハウジング１０ａの背面１４よりも前方に移動して、背面１４から後方に向かって突出しない。これにより、スタンド収納位置に収納されたスタンド３０と、格納位置に格納された可動式モニタ部２０とは干渉しない。なお、軸ＡＸ３をハウジング１０ａの背面１４よりも前方に設けることで、スタンド収納位置に回動されたスタンド３０が背面１４から後方に向かって突出しないように構成できる。
【００２０】
また、図１〜３に示すように、可動式モニタ部２０は、格納位置に回動されると、スタンド収納位置に回動されているスタンド３０の略全体を覆う。
【００２１】
図８は、スタンド３０を用いて撮像装置１を縦位置で斜め上方を撮像するように傾斜させて自立させた状態を示す斜視図であり、図９（ａ）は、図８と同じ姿勢の撮像装置１を撮像装置１の上方から見た図であり、図９（ｂ）は、図９（ａ）のＢ部の拡大図である。図８，９に示すように、本実施の形態では、スタンド収納位置から引き起こしたスタンド３０によって、縦位置、すなわち、撮像範囲が縦長となるように撮像装置本体１０の右側を下に向けた状態で、斜め上方を撮像するように傾斜させた状態で撮像装置１が自立する。なお、スタンド３０は、不図示の節度機構によって、撮像装置本体１０に対して複数の角度位置で停止するように構成されている。スタンド３０の引き起こし角度に応じて、撮像装置１の縦位置における傾斜角度を変更できる。
【００２２】
軸ＡＸ１および軸ＡＸ２を中心に回動させて、図８に示すように、表示モニタ２３が撮像装置１の前方を向くように、可動式モニタ部２０の姿勢を変更することで、ユーザは、表示モニタ２３に表示されるスルー画像を見ながら、いわゆる自分撮りを行うことができる。すなわち、図８に示すように、表示モニタ２３を撮像装置１の前方に向けてスタンド３０で自立している撮像装置１の撮像範囲にユーザが入ることで、ユーザは、スルー画像中の自分の姿を見ながら、自分撮りを行える。
【００２３】
図１０は、スタンド３０を用いて横位置で斜め上方を撮像するように傾斜させて自立させた撮像装置１を右側面から見た図である。図１０に示すように、本実施の形態では、スタンド収納位置から引き起こしたスタンド３０によって、横位置、すなわち、撮像範囲が横長となるように撮像装置本体１０の下部を下に向けた状態で、斜め上方を撮像するように傾斜させた状態で撮像装置１が自立する。横位置においても、スタンド３０の引き起こし角度に応じて、撮像装置１の傾斜角度を変更できる。
【００２４】
本実施の形態の撮像装置１では、スタンド収納位置に収納されたスタンド３０の後方に格納位置に格納された可動式モニタ部２０が位置する。図１１に示すように、可動式モニタ部２０の回動基端である軸ＡＸ１から、先端部２０ａまでの長さをＬ１とし、スタンド３０の回動基端である軸ＡＸ３からスタンド３０の先端までの長さをＬ２とし、軸ＡＸ１と軸ＡＸ３との距離をＬ３とする。
【００２５】
本実施の形態では、Ｌ３＜Ｌ１＋Ｌ２となり、可動式モニタ部２０の回動範囲と、スタンド３０の回動範囲とが一部で重なる。そのため、図１１に示すように、スタンド３０を収納位置から引き起こした状態で可動式モニタ部２０を格納位置に格納しようとすると、スタンド３０の先端の先端部材４０と可動式モニタ部２０とが当接する。スタンド３０のアーム部３１が金属製であり、たとえば樹脂製の部材である先端部材４０が先端３３に取り付けられていなかった場合、表示モニタ２３とアーム部３１の先端３３とが当接すると、表示モニタ２３を破損するおそれがある。
【００２６】
そこで、本実施の形態では、アーム部３１の先端３３に先端部材４０を設け、表示モニタ２３とアーム部３１の先端３３とが先端部材４０を介して当接するように構成することで、表示モニタ２３の破損を防止する。すなわち、上述したように、先端部材４０がたとえば樹脂製の部材であるため、柔軟性、弾力性を有しており、表示モニタ２３に当接しても、先端部材４０が変形等することで表示モニタ２３の表面との当接時の衝撃を吸収する。
【００２７】
図１２は、スタンド３０の斜視図であり、図１３は、図１２のＡ−Ａ矢視断面図である。説明の便宜上、図１３に示す前後方向および左右方向は、スタンド３０がスタンド収納位置に収納された状態での撮像装置１の前後方向および左右方向と一致させている。図１２，１３に示すように、アーム部３１の先端３３は、前後方向、すなわち厚さ方向に段差がある段付き形状を呈していて、前部の方が後部よりも長く左側に、すなわち先端側に延在している。アーム部３１の先端３３において、後部よりも長く左側に延在する部分を薄肉部３４と呼ぶ。
【００２８】
図５および図１３に示すように、薄肉部３４には、たとえば２箇所の段付き穴３５が設けられている。段付き穴３５は、前側に穴３５ａが設けられ、後側に穴３５ａと同心で穴３５ａよりも径の小さな穴３５ｂが設けられている。段付き穴３５には、先端部材４０の後述する係合突起４４が係合する。
【００２９】
図１３に示すように、先端部材４０は、先端４１と、当接部４３と、係合突起４４とを有する。先端４１は、先端部材４０の丸みを帯びた左端であり、外側に向かって凸となる曲線形状を呈し、左端の前側である前部４１ａと、左端の後ろ側である後部４１ｂとで、曲率半径が異なっている。前部４１ａの曲率半径をｒ１とし、後部４１ｂの曲率半径をｒ２とすると、ｒ１＜ｒ２となり、後部４１ｂの曲率半径ｒ２の方が前部４１ａの曲率半径ｒ１よりも大きい。
【００３０】
すなわち、アーム部３１がスタンド収納位置でハウジング１０ａと対向する面を一方の面とし、一方の面とは反対側の面である他方の面とすると、先端部材４０は、一方の面から他方の面にかけて丸みを帯びて形成された端面である先端４１を有する。そして、先端４１では、一方の面側の曲率半径であるｒ１よりも他方の面側の曲率半径であるｒ２の方が大きい。
【００３１】
当接部４３は、アーム部３１の薄肉部３４の左側端面３４ａと当接する部位である。係合突起４４は、アーム部３１の薄肉部３４の２箇所の段付き穴３５と係合する突起であり、突起先端部４４ａと、突起基部４４ｂとを有する。係合突起４４の突起先端部４４ａが段付き穴３５の穴３５ａと嵌合し、突起基部４４ｂが段付き穴３５の穴３５ｂと嵌合することで、先端部材４０は、アーム部３１の先端３３に取り付けられて固定される。
【００３２】
先端部材４０の後面４０ａは、アーム部３１の先端３３の後面よりも図１３に示すｔの分だけ後方に僅かに突出している。そのため、図９（ａ）に示すように、撮像装置１を縦位置としてスタンド３０を使用する場合、先端部材４０の後面４０ａが撮像装置１を載置する載置面に当接し、図９（ｂ）に示すように、アーム部３１の先端３３の後面が僅かに載置面から浮いた状態となる。したがって、撮像装置１を縦位置としてスタンド３０を使用する場合、平らな載置面に撮像装置１を載置すると、撮像装置１の右側端面の一部と、スタンド３０の先端である先端部材４０の後面４０ａとが載置面と当接する。これにより、斜め上方を撮像するように撮像装置１を傾斜させることで撮像装置１の重心が後方に移動しても、撮像装置１を安定して自立できる。
【００３３】
図９（ａ）に示すように、撮像装置１を縦位置としてスタンド３０を使用する場合、先端部材４０の後面４０ａは、図１４に示すように、載置面からの反力Ｆ１を受ける。反力Ｆ１により、先端部材４０には、図１４に示すように、先端部材４０を前方に向かって曲げようとする曲げモーメントＭ１が作用する。仮に、曲げモーメントＭ１によって先端部材４０が前方に向かって容易に曲がってしまうのであれば、スタンド３０の実質的な長さが短くなってしまい、撮像装置１を安定して自立できなくなってしまう。
【００３４】
そこで、本実施の形態では、当接部４３がアーム部３１の薄肉部３４の左側端面３４ａと当接することで、曲げモーメントＭ１によって先端部材４０が前方に向かって容易に曲がらないようにしている。これにより、先端部材４０に柔軟性を有する材料を用いても、スタンド３０の実質的な長さが短くなることがなく、撮像装置１を安定して自立できる。
【００３５】
たとえば、図１１に示した状態よりもスタンド３０をさらに引き起こされた状態で先端部材４０と可動式モニタ部２０の表示モニタ２３とが当接すると、図１５に示すように、先端部材４０は、左斜め前方からの力Ｆ２を受ける。この力Ｆ２により、先端部材４０には、図１５に示すように、先端部材４０を後方に向かって曲げようとする曲げモーメントＭ２が作用するため、先端部材４０は、図１５の破線で示すように、後方に向かって曲がるように撓む。これにより、表示モニタ２３との当接時の衝撃が吸収されるので、表示モニタ２３の破損を防止でき、耐久性のある撮像装置１を提供できる。
【００３６】
図１１に示した状態、または、図１１に示した状態よりもスタンド３０の回動位置がスタンド収納位置に近づいていた状態で先端部材４０と可動式モニタ部２０の表示モニタ２３とが当接した場合について、図１６を参照して説明する。なお、図１６では、理解を容易にするために、図１１に示した状態よりもスタンド３０の回動位置がスタンド収納位置に近づいていた状態で先端部材４０と可動式モニタ部２０の表示モニタ２３とが当接する場合を示している。
【００３７】
図１６に示すように、スタンド３０の回動位置が所定の角度位置よりもスタンド収納位置に近づいていれば、先端部材４０は、後部４１ｂで表示モニタ２３の表面と当接する。この場合、図１６の矢印ａに示すように可動式モニタ部２０が回動されると、矢印ｂで示すように先端部材４０の後部４１ｂが表示モニタ２３の表面を滑りながら、矢印ｃで示すように、スタンド３０は、スタンド収納位置に向かって回動する。すなわち、スタンド３０の引き起こし角度が浅ければ、可動式モニタ部２０を前方に向かって回動させると、可動式モニタ部２０と当接した先端部材４０が矢印ｂで示すように滑って、スタンド３０が閉じられる。このように、スタンド３０がスタンド収納位置に向かって回動することで、スタンド３０が撮像装置１の前方に向かって逃げるので、表示モニタ２３の破損を防止でき、耐久性のある撮像装置１を提供できる。
【００３８】
本実施の形態では、図１３に示すように、先端部材４０の後部４１ｂの曲率半径ｒ２が前部４１ａの曲率半径ｒ１よりも大きい。したがって、曲率半径ｒ１とｒ２との大小関係が本実施の形態とは逆転していた場合と比べて、矢印ｂで示すように先端部材４０の後部４１ｂが表示モニタ２３の表面を滑り易くなるので、より効果的に表示モニタ２３の破損を防止できる。
【００３９】
なお、図３に示すように、スタンド３０およびスタンド収納溝１３は、ハウジング１０ａを背面から見たときに、レンズ鏡筒格納部１１や鏡筒駆動部１２、撮像素子ユニット４Ｕが設けられた領域と干渉しない領域に設けられている。すなわち、レンズ鏡筒格納部１１、鏡筒駆動部１２、および撮像素子ユニット４Ｕは、ハウジング１０ａの左方に片寄った位置に内蔵され、スタンド収納溝１３は、ハウジング１０ａの左方に片寄った位置に刻設されている。
【００４０】
このように、本実施の形態では、スタンド３０およびスタンド収納溝１３は、レンズ鏡筒格納部１１や鏡筒駆動部１２、レンズ鏡筒格納部１１の後方の撮像素子ユニット４Ｕと干渉しないように、レンズ鏡筒格納部１１や鏡筒駆動部１２、撮像素子ユニット４Ｕの右方に設けられている。これにより、スタンド３０を設け、かつ、スタンド３０をハウジング１０ａの背面１４に収納できるように構成しても、ハウジング１０ａの前後方向の厚さが厚くなるのを抑制できる。
【００４１】
本実施の形態の撮像装置では、次の作用効果を奏する。
（１）  可動式モニタ部２０がハウジング１０ａに対して回動して、ハウジング１０ａの背面１４側で背面１４に対して平行となるように格納される格納位置に回動可能に構成した。スタンド３０がハウジング１０ａに対して回動してハウジング１０ａの背面１４側で背面１４に対して平行な状態でハウジング１０ａに収納されるスタンド収納位置に回動可能に構成した。可動式モニタ部２０の回動範囲と、スタンド３０の回動範囲とが一部で重なるが、スタンド３０の先端３３に柔軟性を有する先端部材４０を設けるように構成した。これにより、先端部材４０が表示モニタ２３に当接しても、先端部材４０が変形等することで表示モニタ２３との当接時の衝撃が吸収されるので、表示モニタ２３の破損を防止でき、耐久性のある撮像装置１を提供できる。
【００４２】
（２）  格納位置に回動された可動式モニタ部２０が、スタンド収納位置に回動されているスタンド３０の略全体を覆うように構成した。これにより、スタンド３０の不使用時には、格納位置に回動された可動式モニタ部２０がスタンド３０の略全体を覆うので、見栄えがよい。
【００４３】
（３）  ハウジング１０ａを背面から見たときに、レンズ鏡筒格納部１１や鏡筒駆動部１２、撮像素子ユニット４Ｕが設けられた領域と干渉しない領域にスタンド３０およびスタンド収納溝１３を設けるように構成した。これにより、スタンド３０を設け、かつ、スタンド３０をハウジング１０ａの背面１４に収納できるように構成しても、ハウジング１０ａの前後方向の厚さが厚くなるのを抑制できる。したがって、撮像装置１の小型化に貢献できる。
【００４４】
（４）  スタンド３０が、基端３２から先端３３に向かって延在して同一の回動軸ＡＸ３上で離間して設けられている２本の腕部３１ａを有するように構成した。スタンド３０が、２本の腕部３１ａのそれぞれの他端側同士を連結する連結部である先端３３とを有するように構成した。そして、スタンド３０の先端３３に先端部材４０を設けるように構成した。これにより、縦位置で載置された撮像装置１が２本の腕部３１ａおよび先端３３で安定的に自立できるので、撮像時の利便性が高い。また、撮像して得られる画像にぶれ等が生じ難くなるので、撮像して得られる画像の画質を向上できる。
【００４５】
（５）  先端部材４０が、上述した一方の面から他方の面にかけて丸みを帯びて形成された端面である先端４１を有するように構成した。そして、先端４１では、一方の面側の曲率半径であるｒ１よりも他方の面側の曲率半径であるｒ２の方が大きくなるように構成した。これにより、先端部材４０が表示モニタ２３の表面と当接しても、曲率半径ｒ１とｒ２との大小関係が本実施の形態とは逆転していた場合と比べて、矢印ｂで示すように先端部材４０の後部４１ｂが表示モニタ２３の表面を滑り易くなるので、より効果的に表示モニタ２３の破損を防止できる。
【００４６】
（６）  スタンド３０が、ハウジング３０ａの前面と背面１４との間に設けられている軸ＡＸ３によってハウジング１０ａに対して回動可能に支持されるように構成した。すなわち、軸ＡＸ３をハウジング１０ａの背面１４よりも前方に設けることで、スタンド収納位置に回動されたスタンド３０が背面１４から後方に向かって突出しないように構成した。これにより、撮像装置１の厚さが厚くなることを抑制でき、撮像装置１の小型化に貢献できる。
【００４７】
−−−変形例−−−
（１）  上述の説明では、先端部材４０の材料にたとえば樹脂を用いているが、本発明はこれに限定されない。先端部材４０の材料として、柔軟性を有し、硬度が低く、表示モニタ２３の表面に当接しても表示モニタ２３の破損を防止できる材料であれば、たとえば、ゴム、ウレタンなどのエラストマーでもよい。
【００４８】
（２）  上述の説明では、図１３を用いて先端部材４０の断面形状を説明したが、本発明はこれに限定されない。図１３に示した先端部材４０の断面形状は一例である。たとえば、図１７，１８に示すように、当接部４３を設け、スタンド３０の使用時に載置面から受ける反力Ｆ１（図１４参照）によって先端部材４０Ａが前方に容易に曲がらないように構成しているのであれば、当接部４３の左方で先端部材４０Ａの厚さが薄くなっている部分４０ｂがあってもよい。なお、図１８は、図１７のＣ−Ｃ矢視断面図である。
【００４９】
また、たとえば、図１７，１８に示すように、先端部材４０の後面４０ａに溝４５を設け、先端部材４０Ａと可動式モニタ部２０の表示モニタ２３とが当接したときに受ける左斜め前方からの力Ｆ２（図１５参照）によって先端部材４０Ａが後方に向かって撓みやすくするようにしてもよい。
【００５０】
（３）  上述の説明では、格納位置に回動された可動式モニタ部２０が、スタンド収納位置に回動されているスタンド３０の略全体を覆うように構成したが、本発明はこれに限定されない。たとえば、可動式モニタ部２０の右方向への延在長さが、上述した実施の形態よりも短く、格納位置に回動された可動式モニタ部２０が、スタンド収納位置に回動されているスタンド３０の一部を覆うように構成してもよい。
【００５１】
（４）  上述の説明では、ハウジング１０ａを背面から見たときに、レンズ鏡筒格納部１１や鏡筒駆動部１２、撮像素子ユニット４Ｕが設けられた領域と干渉しない領域にスタンド３０およびスタンド収納溝１３を設けるように構成したが、本発明はこれに限定されない。たとえば、少なくとも、前後方向に沿って最も後方に配設されることとなる撮像素子ユニット４Ｕが設けられた領域と重ならない領域にスタンド３０およびスタンド収納溝１３を設けるように構成してもよい。この場合、ハウジング１０ａを上面から見たときに、レンズ鏡筒格納部１１や鏡筒駆動部１２が設けられた領域と干渉しない領域にスタンド３０およびスタンド収納溝１３が設けられていればよい。
【００５２】
（５）  上述の説明では、可動式モニタ部２０には、表示モニタ２３が設けられているが、本発明はこれに限定されず、たとえば無線通信用のアンテナや、ＧＰＳアンテナなど、他の構成要素が設けられていてもよい。
【００５３】
（６）  上述の説明では、アーム部３１が２本の腕部３１ａを有するが、本発明はこれに限定されず、スタンド３０には様々な形状のものが考えられる。たとえば、アーム部３１が１本の腕部を有し、腕部の先端側に先端３３が設けられた、略Ｔ字形状を呈するようにスタンド３０を構成してもよい。すなわち、Ｔ字形状の上端に相当する部位が先端３３に相当するようにスタンド３０を構成してもよい。
（７）  上述した実施の形態および変形例は、それぞれ組み合わせてもよい。
【００５４】
なお、本発明は、上述した実施の形態のものに何ら限定されず、撮像装置のハウジングと、ハウジングに対して回動可能に支持される回動部材と、ハウジングに対して回動可能に支持されるスタンド部材とを備え、回動部材は、ハウジングに対して回動してハウジングの背面側で背面に対して平行となるように格納される格納位置に回動可能であり、スタンド部材は、ハウジングに対して回動してハウジングの背面側で背面に対して平行な状態でハウジングに収納されるスタンド収納位置に回動可能であり、回動部材の回動範囲と、スタンド部材の回動範囲とは、一部で重なり、スタンド部材は、回動可能に支持される基端側から他端側に向かって延在し、回動部材と当接し得る他端側に柔軟性を有する先端部材を有する各種構造の撮像装置を含むものである。
【符号の説明】
【００５５】
１  撮像装置、４  撮像素子、４Ｕ  撮像素子ユニット４Ｕ、１０  撮像装置本体、１０ａ  ハウジング、１３  スタンド収納溝、２０  可動式モニタ部、２３  表示モニタ、３０  スタンド、４０，４０Ａ  先端部材、４１  先端  
【図１】
2016018031.tif 000003
【図２】
2016018031.tif 000004
【図３】
2016018031.tif 000005
【図４】
2016018031.tif 000006
【図５】
2016018031.tif 000007
【図６】
2016018031.tif 000008
【図７】
2016018031.tif 000009
【図８】
2016018031.tif 000010
【図９】
2016018031.tif 000011
【図１０】
2016018031.tif 000012
【図１１】
2016018031.tif 000013
【図１２】
2016018031.tif 000014
【図１３】
2016018031.tif 000015
【図１４】
2016018031.tif 000016
【図１５】
2016018031.tif 000017
【図１６】
2016018031.tif 000018
【図１７】
2016018031.tif 000019
【図１８】
2016018031.tif 000020